(57)【要約】【課題】  効果的に電池のガタを防止することで、部品点数・組み立て工数を抑えた撮像装置を提供すること。【解決手段】  操作性の向上や撮像装置本体のグリップ感向上のために弾性部材で形成されている指置き部材と、電池のガタツキを防止するために電池収納部に貼り付けられている弾性部材を一体にて構成することで、部品点数や組み立て工数を増やすことなく、ガタツキによる異音の発生を防ぐことができる。また電池のガタツキを防止する弾性部材を指置き部材と一体にて成形したので、弾性部材が剥がれるといった問題を防ぐことができる。【選択図】  図１
2010245685.tif 000002
【特許請求の範囲】
【請求項１】
電池１１０を収納する収納部１１１と操作部１２９と電池１１０を押圧する弾性部材１１３と操作部の周囲に配設された指置き部材１１２を有する撮像装置２００であって、電池１１０を押圧する弾性部材１１３と指置き部材１１２を一体にて成形したことを特徴とする撮像装置。
【請求項２】
前記収納部１１１は少なくとも１ヶ所の貫通穴１１４を有し、前記貫通穴１１４を通して弾性部材１１３が突出し、収容した電池１１０を押圧することを特徴とする請求項１記載の撮像装置。
【請求項３】
前記弾性部材１１３が複数箇所１１４ａ、１１４ｂで電池１１０を押圧する事を特徴とする請求項１記載の撮像装置。
【発明の詳細な説明】
【技術分野】
【０００１】
本発明は指置き部材を有する撮像装置に関するものである。
【背景技術】
【０００２】
近年、デジタルビデオやデジタルカメラなどの撮像装置においては多機能化が進んでいる。そして機能を拡張する一方で、部品点数・組み立て工数を増やさない撮像装置の設計が重要となってきている。
【０００３】
図３は撮像装置の内部構成を示すブロック図である。図３に示すように、撮像装置１００は、レンズ２１、撮像素子２２、カメラ信号処理部２３、モニタ２４、レコーダ２５、電源回路２６、画像変換回路２７、制御マイコン２８、操作キー２９を備える。撮像装置の原理としては、レンズ２１を通ってきた光が撮像素子２２によって電気信号に変えられ、カメラ信号処理部２３によってデジタル処理される。そして像をレコーダ２５に記録し、モニタ２４に表示する構成となっている。また、撮影者はモニタ２４に表示される像を確認しつつ操作キー２９を操作する。この操作キー２９の操作内容を示すデータは、制御マイコン２８により具体的な処理内容を示すコマンドにブレークダウンされた後、各部に供給される。
【０００４】
図４は従来の撮像装置の外観を説明する図である。図４に示す通り、撮像装置１００は電池収納部１１や操作キー２９を有し、操作キー２９の周りには指置き１２が設けられている。また電池収納部１１には弾性部材１３が貼り付けられている。
【０００５】
ここで指置き１２は操作性の向上や撮像装置１００を把持した時に持ちやすいように、主に摩擦係数の高いゴム状の弾性部材で形成されている。また撮像装置１００の電池収容部１１において、電池の取り外しのしやすさや、部品そのものが持つ公差上の点から、電池と電池を収納する外装カバーの間にはある程度の隙間が存在する。そのため、撮像装置１００を持ち運ぶ時や電池を装着時の撮影の際に電池と外装カバーの間のガタツキによる異音が発生し、撮影時にはこれが録音されてしまうといった問題があった。よって従来は緩衝材等の弾性部材１３を外装カバー側面に貼り付け、電池のガタ取りを行うなどの手段が講じられてきた。
【先行技術文献】
【特許文献】
【０００６】
【特許文献１】特開平１１−１６２４２６号公報
【発明の概要】
【発明が解決しようとする課題】
【０００７】
しかしながら、弾性部材１３を電池収納部１１に貼り付けることによって、部品点数や組み立て工数が増加するためにコストアップするといった問題があった。
【０００８】
さらに、外部から両面テープなどで弾性部材１３を貼り付ける構造では弾性部材１３が剥がれ易いといった問題があった。
【０００９】
本発明の目的は、効果的に電池のガタを防止するとともに、部品点数・組み立て工数を抑えた撮像装置を提供することにある。
【課題を解決するための手段】
【００１０】
上述の目的を達成するため、本発明の撮像装置は、
電池を収納する収納部と操作部と電池を押圧する弾性部材と操作部の周囲に配設された指置き部材を有し、電池を押圧する弾性部材と指置き部材を一体にて成形したことを特徴としている。
【００１１】
また、本発明のその他の特徴とするところは、
電池収納部は少なくとも１ヶ所の貫通穴を有し、前記貫通穴を通して弾性部材が突出し、収容した電池を押圧することを特徴とするとしている。
【００１２】
また、本発明のその他の特徴とするところは、
収容した電池を押圧する弾性部材が複数箇所で電池を押圧する事を特徴としている。
【発明の効果】
【００１３】
以上説明したように、操作性の向上や撮像装置本体のグリップ感向上のために弾性部材で形成されている指置き部材と、電池のガタツキを防止するために電池収納部に貼り付けられている弾性部材を一体にて構成することで、部品点数や組み立て工数を増やすことなく、ガタツキによる異音の発生を防ぐことができるという点で効果的な撮像装置の提供が可能である。また電池のガタツキを防止する弾性部材を指置き部材と一体にて成形したので、弾性部材が剥がれるといった問題を防ぐことができる。
【図面の簡単な説明】
【００１４】
【図１】本発明の実施例に係る撮像装置の外観を説明する図である。
【図２】本発明の実施例に係る撮像装置の分解斜視図である。
【図３】本発明の実施例に係る撮像装置の弾性突起部における断面図である。
【図４】従来の撮像装置の内部構成を示すブロック図である
【図５】従来の撮像装置の外観を説明する図である。
【発明を実施するための形態】
【００１５】
（実施例１）
次に本発明の実施例について図面を参照して説明する。
【００１６】
図１は本発明の実施例に係る撮像装置の外観を説明する図である。
【００１７】
図１において、２００はデジタルビデオカメラ本体、１１０は電池、１１１は電池収納部、１１２は摩擦係数の高いゴム状の弾性部材で形成された指置き、１１３ａ、１１３ｂは電池１１０のガタツキを防止するための弾性突起部、１１４ａ、１１４ｂは電池収納部１１１に配設された貫通穴、１２９は動画撮影のスタート／ストップを行うための操作キー、１１９ａ、１１９ｂは電池１１０に配設された爪である。
【００１８】
図１に示すように、撮像装置２００において、操作性の向上とグリップ感向上のために操作キー１２９の周りを覆うように指置き１１２が設置されている。また電池１１０は１１９ａ、１１９ｂと対向する位置の合計４箇所に爪を有し、また、撮像装置本体側の対応する箇所にも爪が配設されており、４箇所の爪により電池１１０が撮像装置２００に収容される構造となっている。また、電池１１０が収容される電池収容部１１１は２ヶ所の貫通穴１１４ａ、１１４ｂを有し、弾性突起部１１３ａ、１１３ｂが電池収容部１１１へ突出している。
【００１９】
図２は本発明の実施例に係る撮像装置２００の分解斜視図である。
【００２０】
図２において１１１は電池収納部、１１２は摩擦係数の高い弾性部材で形成された指置き、１１３ａ、１１３ｂは電池のガタツキを防止するための弾性突起部、１１４ａ、１１４ｂは電池収納部１１１に配設された貫通穴、１１５は操作キー１２９を保持するための板金、１１６は操作キーの電気信号を送るための電極シート、１１７は操作キーからの電気信号を受け取るメイン基板、１１８は撮像装置本体を形成するエンジニアリングプラスチック部材、１２９は動画撮影のスタート／ストップを行うための操作キーである。
【００２１】
図２に示すように、弾性突起部１１３ａ、１１３ｂは指置き１１２と一体で成形されている。ここで、弾性突起部１１３ａ、１１３ｂを指置き１１２と一体で成形し、貫通穴１１４ａ、１１４ｂと板金１１５で固定されているので、従来のように電池のガタツキを防止するための弾性部材が剥がれるといった問題を防ぐことができる。
【００２２】
図３は本発明の実施例に係る撮像装置２００の弾性突起部における断面図である。
【００２３】
図３において、１１０は電池、１１１は電池収納部、１１２は摩擦係数の高い弾性部材で形成された指置き、１１３ａは電池１１０のガタツキを防止するための弾性突起部、１１４ａは電池収納部１１１に配設された貫通穴、１１５は弾性突起部１１３ａを保持するための板金、１２０ａ、１２０ｂは電池１１０を保持するための電池保持リブである。
【００２４】
図３に示すように、貫通穴１１４ａを通して弾性突起部１１３ａが電池収容部１１１へ突出して収容した電池１１０を押圧して電池保持リブ１２０ａへ電池１１０を押圧し電池１１０のガタツキを防ぐ構造となっている。
【００２５】
ここで、本実施例では弾性突起部は２箇所で説明したが、電池収容構造によって、ガタ取りが可能な構造であれば、１箇所や３箇所以上でも良い。
【符号の説明】
【００２６】
１００  撮像装置
１１  電池収納部
１２  指置き
１３  弾性部材
２１  レンズ
２２  撮像素子
２３  カメラ信号処理部
２４  モニタ
２５  レコーダ
２６  電源
２７  画像変換回路
２８  制御マイコン
２９  操作キー
２００  撮像装置
１１０  電池
１１１  電池収納部
１１２  指置き
１１３ａ、１１３ｂ  弾性突起部
１１４ａ、１１４ｂ  貫通穴
１１５  板金
１１６  電極シート
１１７  メイン基板
１１８  エンジニアリングプラスチック部材
１１９ａ、１１９ｂ  爪
１２０ａ、１２０ｂ  電池保持リブ
１２９  操作キー
【図１】
2010245685.tif 000003
【図２】
2010245685.tif 000004
【図３】
2010245685.tif 000005
【図４】
2010245685.tif 000006
【図５】
2010245685.tif 000007